(57)【要約】【課題】タイヤの製造工程における中間製品として用いられる新規な部分組立品と、それを製造するための方法を提供する。【解決手段】空気入りタイヤの製造工程における中間製品として、チッパ４０とエイペックス３０からなる部分組立品１００を製造する。エイペックス３０は、基底部３１と、狭い外側の先端部３２に向けて延びている互いに対向する２つの側部３３，３４とを有しており、未加硫材料の連続するエラストマストリップとして形成されている。チッパ４０は、その長さ方向に対してあるバイアス角度に方向付けられている平行な複数のコード４２によって補強されている。チッパ４０は、未加硫のエイペックス３０の一方の側部の外側表面上に、長さ方向に沿って接合されており、基底部３１から離れており、外側の先端部３２に向かって幅方向に延びている。【選択図】図２
2008062649.tif 000002
【特許請求の範囲】
【請求項１】
基底部と、狭い外側の先端部に向けて延びている互いに対向する２つの側部とを有している、未加硫材料の連続するエラストマストリップとして形成されているエイペックスストリップと、
チッパプライストリップであって、該チッパプライストリップの長さ方向に対してあるバイアス角度に方向付けられている平行な複数のコードによって補強されているチッパプライストリップと、
を有し、
製造工程における中間製品としてチッパとエイペックスの部分組立品を形成するように、前記チッパプライストリップは、前記両ストリップの長さ方向に沿って前記エイペックスストリップに接合され、未加硫の前記エイペックスストリップの一方の側部の外側表面上に取り付けられており、前記チッパプライストリップは、前記エイペックスストリップの前記基底部から離れており、前記狭い外側の先端部に向かって幅方向に延びている、
空気入りタイヤの製造工程における中間製品であるチッパとエイペックスの部分組立品。
【請求項２】
前記エイペックスストリップは、前記基底部から前記外側の先端部へ向かって延びている細長い実質的に三角形状の断面を有している、請求項１に記載のチッパとエイペックスの部分組立品。
【請求項３】
前記エイペックスストリップの、前記チッパプライストリップが取り付けられた側部の外側表面に沿って測定したときの幅がＷAであり、前記チッパプライストリップは幅ＷCを有しており、ＷA≧ＷCである、請求項１に記載のチッパとエイペックスの部分組立品。
【請求項４】
前記エイペックスストリップの、前記チッパプライストリップが取り付けられた側部の外側表面に沿って測定したときの幅がＷAであり、前記チッパプライストリップは幅ＷCを有しており、ＷA≦ＷCである、請求項１に記載のチッパとエイペックスの部分組立品。
【請求項５】
前記チッパプライストリップは、合成材料から作られている複数のコードを有している、請求項１に記載のチッパとエイペックスの部分組立品。
【請求項６】
前記チッパプライストリップは複数の炭素繊維コードを有している、請求項５に記載のチッパとエイペックスの部分組立品。
【請求項７】
前記チッパプライストリップは複数のナイロンコードを有している、請求項５に記載のチッパとエイペックスの部分組立品。
【請求項８】
前記チッパプライストリップは複数の鋼コードを有している、請求項７に記載のチッパとエイペックスの部分組立品。
【請求項９】
半径方向内側の直径方向表面と半径方向外側の直径方向表面とを有している環状のビードコアをさらに有し、
一方の側部に前記チッパプライストリップが取り付けられている前記エイペックスストリップの前記基底部が、前記半径方向外側の直径方向表面に取り付けられており、
前記エイペックスストリップと前記チッパプライストリップは、前記基底部における長さＬBから前記先端部における長さＬTまで円周方向長さを増大させる、互いに対向する端部を形成するようにくさび状に切断されており、
前記基底部における長さＬBは、前記半径方向外側の表面において前記ビードコアの円周方向長さと同じか、またはわずかに短く、
前記先端部における長さＬTは前記長さＬBよりも長く、
製造工程における中間製品としてエイペックスとチッパとビードコアの部分組立品を形成するように、前記両端部は前記基底部において突き合わせられ前記先端部において重ね合わされて接合されている、
請求項１に記載のチッパとエイペックスの部分組立品。
【請求項１０】
エイペックスストリップを形成するように、基底部と、前記基底部から狭い外側先端部に向けて延びている互いに対向する２つの側部とを有している、未加硫材料の連続するエラストマストリップを押し出し成形するステップと、
製造工程における中間製品として前記チッパプライストリップと前記エイペックスストリップの部分組立品を構成するように、前記チッパプライストリップを該ストリップの長さ方向に沿って前記エイペックスストリップに接合させるバイアス角度を有する平行な複数のコードまたはワイヤによって補強されている前記チッパプライストリップを、該エイペックスストリップの前記基底部から離れており前記狭い外側先端部に向かって幅方向に延びている未加硫の前記エイペックスストリップの一方の側部に取り付けるステップと、
を含む、
空気入りタイヤの製造工程における中間製品としてチッパとエイペックスの部分組立品を製造する方法。
【請求項１１】
前記チッパとエイペックスの部分組立品をスプールに巻き付けるステップと、
前記スプールをいっぱいにするのに十分な長さの材料が巻き付けられた後で、前記チッパとエイペックスの部分組立品を切断するステップと、
をさらに含む、
請求項１０に記載の方法。
【請求項１２】
前記チッパとエイペックスの部分組立品が巻かれるときに、該部分組立品の一方の側部に取り外し布、つまりライナを取り付けるステップをさらに含む、請求項１１に記載の方法。
【請求項１３】
前記チッパプライストリップは、押し出し成形された前記エイペックスストリップに、該エイペックスストリップの材料が高温の間に取り付けられ、
前記チッパとエイペックスの部分組立品を冷却するステップをさらに含む、
請求項１０に記載の方法。
【請求項１４】
前記チッパとエイペックスとの部分組立品を、タイヤ組立ドラム上の、ビードコアが貼り付けられる位置に隣接した各位置に取り付けられた未加硫の円筒状タイヤカーカスに貼り付けるステップと、
前記部分組立品を所定の長さに切断するステップと、
切断された両端部を継ぎ合わせるステップと、
をさらに含む、請求項１０に記載の方法。
【請求項１５】
前記チッパとエイペックスの部分組立品を切断するステップは、前記切断された端部を形成するように、前記チッパプライの前記バイアス角度を有する互いに隣接する前記コード同士の間で、前記エイペックスプライと前記チッパプライの両方を、長さ方向に対して前記バイアス角度で切断するステップを含む、
請求項１４に記載の方法。
【請求項１６】
前記バイアス角度で切断するステップは、面取りされた前記切断された端部を形成して重ね合わせ接合を構成するように、カッターをある剥ぎ角度に方向付けするステップをさらに含む、請求項１５に記載の方法。
【請求項１７】
前記チッパとエイペックスの部分組立品を完全に取り付ける前に、前記チッパとエイペックスの部分組立品の前記基底部を、環状のビードコアの半径方向外側の直径方向表面に取り付けるステップと、
前記基底部における長さＬBから狭い前記先端部における長さＬTまで円周方向長さを増大させる、互いに対向する複数の切断された端部を形成し、前記長さＬBが、前記半径方向外側表面において前記ビードコアの円周方向長さと同じか、またはわずかに短くなり、前記先端部における長さＬTが前記長さＬBよりも長くなり、製造工程における中間製品としてエイペックスとチッパとビードコアの部分組立品を形成するように前記両端部が前記基底部において突き合わせられ前記先端部において重ね合わせられて接合されるように、前記チッパとエイペックスの部分組立品を、その幅方向に交差する方向に、所定の長さにくさび状に切断するステップと、
前記切断された端部を前記ビードコアに取り付けるステップと、
製造工程における中間製品として、エイペックスとチッパとビードコアの部分組立品を形成するために、前記両端部を前記基底部における突き合わせ接合から前記先端部における重ね合わせ接合に移行させるように、互いに対向する前記端部同士を接合するステップと、
をさらに含む、請求項１０に記載の方法。
【請求項１８】
前記くさび状に切断するステップは、くさびを構成するように、前記部分組立品の幅方向に交差する方向に傾斜した２つの刃先を有している切断手段を加熱し、前記切断手段が前記部分組立品を切断するときに前記バイアス角度の複数のコードを切断するステップを含む、請求項１７に記載の方法。
【請求項１９】
前記チッパとエイペックスの部分組立品を完全に取り付ける前に、前記チッパとエイペックスの部分組立品の前記基底部を、環状のビードコアの半径方向外側の直径方向表面に取り付けるステップと、
面取りされた前記端部を形成するように、前記チッパとエイペックスの部分組立品を、その幅方向に交差する方向に、コードに対して平行にバイアス角度で、かつある剥ぎ角度だけ傾けて、所定の長さに切断するステップと、
前記切断された端部を前記ビードコアに取り付けるステップと、
前記エイペックスとチッパとビードコアの部分組立品を形成するために前記エイペックスとチッパの部分組立品の幅方向と交差する方向に重ね合わせ接合するように、前記切断された端部同士を接合するステップと、
をさらに含む、請求項１０に記載の方法。
【発明の詳細な説明】
【技術分野】
【０００１】
本発明は、空気入りタイヤとその製造方法に関し、特に製造工程における中間製品とその中間製品の製造方法に関する。
【背景技術】
【０００２】
空気入りタイヤは、合成繊維で補強された複数のコードまたは複数の鋼ワイヤコードを含む、ゴムからなる合成エラストマ構成部材によって作られている。
【０００３】
一般に、乗用車用タイヤまたは軽量トラック用タイヤでは、複数の合成コードがカーカスプライファブリック内に用いられており、複数のワイヤコードがベルト構造内に配置されている。ヘビーデューティトラック用タイヤでは、複数の鋼ワイヤコードを、カーカスプライ内とベルト構造内の両方に用いることがある。
【０００４】
通常、タイヤは、１つには、ある程度細長い三角形の形状のために一般に「エイペックス」と呼ばれているエラストマのフィラーとともに、複数の鋼ワイヤを巻いたもの（コイル）からなるビードコアを各々が有している１対のビード補強構造によって固定されたリムに取り付けられる。コードで補強されたフリッパをビードコアの周囲を覆うようにして用いることができ、ベルト補強構造とトレッドゴムとを貼り付ける前に円環形状に形作られている「グリーン」すなわち未加硫のタイヤカーカス内に、後で組み込むことが可能な、製造工程における中間製品を形成するために、フリッパをビードコアやエイペックスの部材とともに事前に組み立てることができることもある。その後、組立品全体を、加熱された金型内に配置して硬化させることができる。
【０００５】
通常、タイヤ組立ドラム上に円筒状に巻かれ、所定の長さに切断され、かつ重ね合わせ接合または突き合わせ接合によって接合されている、構成部材の長い複数のストリップから、タイヤを形成することができる。その後、組立品は、各端部に貼り付けられたビードコアと、各ビードコアに隣接して配置されたエイペックスとを有し、その後、プライのターンアップ端部がビードコアとエイペックスの上に折り重ねられ、それから固着（stitch）される。その後、実質的に円筒状に形成されたこの組立品は、両ビードの間で組立品の直径を大きくすることによって円環形状に形作られ、両ビードは互いに向かって移動する。その後、ベルト構造とトレッドとが貼り付けられ、それからグリーンタイヤは加硫金型内で硬化させられる。
【０００６】
これらの組立方法は、タイヤ組立の技術分野において公知である。
【発明の開示】
【発明が解決しようとする課題】
【０００７】
タイヤカーカスを構成するために組立ドラム上に巻かれた多数のストリップ部材のために、これらのストリップが、タイヤの製造時および組立時に所定の長さに切断され、端部において１つに接合されるということは、一様性を有する高品質の完成品が製造されることを確実にするために、組立品を正確かつ厳密に制御しなければならないことを意味する。位置がずれている構成部材、大きすぎるまたは小さすぎる部品、または不良接合部の各々が、特に高速道路での速度で、顕著なアンバランスや乗り心地の乱れを引き起こす可能性がある。したがって、タイヤが、製造時に、正しい寸法に正確に作られ、組立品上に適切に配置され、正確な長さに切断され、適切に接合されたストリップ部材を確実に有するようにすることが好ましい。さらに、これらの目的は、タイヤが手頃に入手できるように、効率よく達成できなければならない。
【０００８】
これらの目的を達成するためには、自動化することや、場合によっては部分組立品を形成することや、タイヤ組立装置において構成部材を作ることが望ましい。
【０００９】
以下に説明する本発明は、タイヤの製造工程における中間製品として用いられる独自の部分組立品と、それを製造するための、同様に独自の方法とを提供する。
【課題を解決するための手段】
【００１０】
空気入りタイヤの製造工程における中間製品であるチッパとエイペックスの部分組立品が、基底部と狭い外側の先端部に向けて延びている互いに対向する２つの側部とを有している、未加硫材料の連続するエラストマストリップとして形成されているエイペックスストリップと、チッパプライストリップであって、ストリップの長さ方向に対してあるバイアス角度に方向付けられている平行な複数のコードによって補強されているチッパプライストリップと、を有し、チッパプライストリップは、両ストリップの長さ方向に沿ってエイペックスに接合され、未加硫のエイペックスストリップの一方の側部の外側表面上に取り付けられている。チッパは、製造工程における中間製品としてチッパとエイペックスの部分組立品を形成するように、エイペックスの基底部から離れており、狭い外側の先端部に向かって幅方向に延びている。
【００１１】
エイペックスストリップが、基底部から外側の先端部へ向かって延びている細長い実質的に三角形状の断面を有していることが好ましい。エイペックスの、チッパが取り付けられた側部の外側表面に沿って測定したときの測定された幅がＷAであり、チッパプライは幅ＷCを有している。一実施態様では、エイペックスの幅ＷAはチッパの幅ＷC以上である。他の実施態様では、チッパはエイペックスの幅ＷA以上の幅ＷCを有することもできるが、それでもなお、基底部から離れていることが好ましい。
【００１２】
一実施態様では、チッパは、合成材料から作られている複数のコードを有している。合成コード材は複数の炭素繊維コードから作られていることが好ましい。あるいは、チッパは複数のナイロンコード、または、ポリアミド材料であるアラミドなどの任意のその他の適切な合成コードから作ることができる。他の実施態様では、チッパとエイペックスの部分組立品は、好ましくは鋼コードのワイヤから作られている複数のチッパコードを有していてもよい。
【００１３】
他の実施態様では、半径方向内側の直径方向表面（radially inner diametric   surface）と半径方向外側の直径方向表面（radially outer diametric surfa  ce）とを有している環状のビードコアが、一方の側部にチッパが取り付けられ  ている、部分組立品を形成するために半径方向外側の直径方向表面に取り付け  られたエイペックスストリップの基底部を有している。エイペックスとチッパ  は、基底部における長さＬBから先端部における長さＬTまで円周方向長さを  増大させる、互いに対向する端部を形成するように、くさび状に所定の長さに  切断されている。基底部における長さＬBは、半径方向外側の直径方向表面に  おけるビードコアの円周方向長さと同じか、またはわずかに短く、先端部にお  ける長さＬTは長さＬBよりも長い。くさび状の切断端部は、製造工程におけ  る中間製品としてエイペックスとチッパとビードコアの部分組立品を形成する  ように、基底部において突き合わせられ先端部において重ね合わされて接合さ  れている。
【００１４】
製造工程における中間製品の様々な実施態様は、チッパとエイペックスの部分組立品を製造する以下の方法を用いて作ることができる。この方法は、エイペックスストリップを形成するように、基底部と、基底部から狭い外側先端部に向けて延びている互いに対向する２つの側部とを有している、未加硫材料の連続するエラストマエイペックスを押し出し成形するステップと、製造工程における中間製品としてチッパプライストリップとエイペックスの部分組立品を構成するように、チッパプライストリップをエイペックスストリップの長さ方向に沿ってエイペックスストリップに接合させる、バイアス角度を有する平行な複数のコードまたはワイヤによって補強されているチッパプライを、エイペックスストリップの基底部から離れており狭い外側先端部に向かって幅方向に延びている未加硫のエイペックスストリップの一方の側部に取り付けるステップと、を含む。この方法は、チッパとエイペックスの部分組立品をスプールに巻き付けるステップと、スプールをいっぱいにするのに十分な長さの材料が巻き付けられた後で、チッパとエイペックスの部分組立品を切断するステップと、をさらに含んでいてもよい。スプールをいっぱいにするステップでは、チッパとエイペックスの部分組立品が巻かれるときに、部分組立品の一方の側部に取り外し布、つまりライナを取り付けるステップをさらに含んでいてもよい。チッパプライは、押し出されたエイペックス材がまだ新しい間に取り付けられることが好ましく、エイペックスが押し出し成形機のダイから直接出てきて高温である間に貼り付けられることが好ましい。さらに、チッパとエイペックスの部分組立品をスプールに巻き付ける前に冷却するステップを含んでいてもよい。それから、チッパとエイペックスとの部分組立品をタイヤ組立ドラム上に取り付けられた未加硫の円筒状タイヤカーカスに貼り付け、１つの部分組立品を、ビードコアが貼り付けられる位置に隣接した各位置におき、それから、部分組立品を所定の長さに切断し、切断された両端部を継ぎ合わせることによって、部分組立品をタイヤカーカスの組立に用いてもよい。この製造方法では、チッパとエイペックスの部分組立品を切断するステップは、切断された端部を形成するように、チッパプライのバイアス角度を有する互いに隣接するコード同士の間で、エイペックスとチッパプライの両方を、長さ方向に対してバイアス角度で切断するステップを含むことが好ましい。
【００１５】
バイアス角度で切断するステップは、面取りされた端部を形成して重ね合わせ接合するように、カッターをある剥ぎ角度に方向付けするステップをさらに含んでいてもよい。あるいは、この方法は、チッパとエイペックスの部分組立品の基底部を、環状のビードコアの半径方向外側の直径方向表面に取り付けることと、チッパとエイペックスの部分組立品を完全に取り付ける前に、基底部における長さＬBから狭い先端部における長さＬTまで円周方向長さを増大させる、互いに対向する複数の切断された端部を形成し、長さＬBが長さＬTよりも大きくなるように、チッパとエイペックスの部分組立品を、その幅方向に交差する方向に、所定の長さにくさび状に切断することとを含んでいてもよい。その後、製造工程における中間製品としてエイペックスとチッパとビードコアの部分組立品を形成するように、切断された両端部をビードコアに取り付ける際に、互いに対向する両端部がチッパとエイペックスとの部分組立品の基底部の付近で突き合わせ接合され、この接合は、先端部において重ね合わせ接合に移行する。
【００１６】
好ましくは、くさび状に切断するステップは、くさびを構成するように、部分組立品の幅方向に交差する方向に傾斜した２つの刃先を有している切断手段を用いて、加熱および切断するステップを含み、切断手段が部分組立品を切断するときにバイアス角度を有する複数のコードを切断する。これは、合成コードの使用によって可能になり、コードの材料は加熱された刃先を損傷することなく容易に切り通すことができる。あるいは、チッパの中に金属のワイヤコードを使用するときは、チッパとエイペックスの部分組立品を完全に取り付ける前に、チッパとエイペックスの部分組立品を、環状のビードコアの半径方向外側の直径方向表面に取り付け、面取りされた端部を形成するように、チッパとエイペックスの部分組立品を、その幅方向に交差する方向に、コードに対して平行にバイアス角度で、かつある僅かな剥ぎ角度だけ傾けて、所定の長さに切断し、その後に、切断された端部をビードコアに取り付け、製造工程における中間製品としてエイペックスとチッパとビードコアの部分組立品を形成するためにエイペックスとチッパの部分組立品の幅方向と交差する方向に重ね合わせ接合するように、切断された端部同士を接合することが可能である。
【００１７】
［定義］
「エイペックス」は、ビードの半径方向上方に位置し、プライとプライターンアップ部の間にあるエラストマのフィラーを意味する。
【００１８】
「軸線方向の」および「軸線方向に」は、タイヤの回転軸線に平行なラインまたは方向を意味する。
【００１９】
「ビード」は、一般に「ビードコア」と呼ばれる環状の引張部材を含み、プライコードに被覆されており、設計リムにぴったり嵌まるように形成され、フリッパ、チッパ、エイペックス、トウガード、およびチェーファーのような他の補強部材を有することもあれば、有しないこともある、タイヤの一部分を意味する。
【００２０】
「ベルト構造」または「補強ベルト」は、トレッドの下に存在し、ビードに固定されておらず、タイヤの赤道面に対して１７度から２７度の範囲の左および右のコード角度を有する、織られていても織られていなくてもよい平行なコードの少なくとも２つの環状の層すなわちプライを意味する。
【００２１】
「カーカス」は、接合して円筒形状または円環形状にするのに適した長さに切断された、または既に接合された、タイヤプライ材とその他のタイヤ部材の未加硫の薄層を意味する。成形タイヤを作るために、加硫前にカーカスに追加の構成部材を付加してもよい。
【００２２】
「ケーシング」は、タイヤカーカスと、それに関連するトレッド以外のタイヤ部材とを意味する。
【００２３】
「チェーファー」は、コードプライをリムから保護し、リムの上方で曲がりを分散させ、タイヤを密封するように、ビードの外側の周囲に配置された材料の狭いストリップを指す。
【００２４】
「チッパ」は、エイペックスとプライターンアップ部との間に位置している合成材料またはワイヤ材料の、バイアス角度を有する平行なコードの層つまりプライを意味する。
【００２５】
「周方向」は、軸線方向に垂直な、環状のトレッドの表面の周囲に沿って延びるラインまたは方向を意味する。
【００２６】
「コード」は、タイヤ内のプライを構成している補強繊維（reinforcement strands）の１つを意味する。
【００２７】
「赤道面（ＥＰ）」は、タイヤの回転軸線に垂直で、トレッドの中心を通る平面を意味する。
【００２８】
「インナーライナ」は、チューブレスタイヤの内側表面を形成し、タイヤ内に膨張する流体を収容している、エラストマまたはその他の材料からなる１つまたは複数の層を意味する。
【００２９】
「インサート」は、タイヤのサイドウォール領域内に通常配置されている、剛性を高くする部材として用いられるエラストマ部材を意味する。
【００３０】
「プライ」は、ゴムに被覆された平行なコードの連続する層を意味する。
【００３１】
「半径方向の（ラジアル）」および「半径方向に」は、タイヤの回転軸線に半径方向に向かう方向、または回転軸線から半径方向に離れる方向を意味する。
【００３２】
「ラジアルプライタイヤ」は、プライコードを有しているプライの少なくとも１つの層が、タイヤの赤道面に対して６５度から９０度の間のコード角度で一方のビードから他方のビードへ延びている、ベルトが巻かれた、または周方向に拘束された空気入りタイヤを意味する。
【００３３】
「ショルダ」は、トレッドの縁部のすぐ下のサイドウォールの上部を意味する。
【００３４】
「サイドウォール」は、タイヤの、トレッドとビードの間の部分を意味する。
【００３５】
「トレッド」は、タイヤカーカスに接合されているときに、タイヤが正常に膨らんで標準の負荷が作用すると道路に接触するようになるタイヤの部分を含む、ゴム部材を意味する。
【００３６】
「トレッド幅」は、軸線方向の、すなわち、タイヤの回転軸線に平行な平面における、トレッド面の弧の長さを意味する。
【００３７】
本明細書に援用され、本明細書の一部を構成する添付の図面は、本発明の実施態様を示しており、上述した本発明の一般的な説明と、以下の詳細な説明とともに、本発明を説明する役割を有している。
【発明を実施するための最良の形態】
【００３８】
以下、本発明の実施の形態について図面を参照して説明する。
【００３９】
図１を参照すると、ダイヘッド２から出てきたエラストマ材料の押し出し物が示されている。押し出し物３０は、図示されているように、広い基底部３１と、基底部３１から狭い外側先端部３２に向けて延びている、互いに対向する２つの側部３３、３４とを有する、実質的に三角形状の断面を有しており、それによって実質的に三角形状のエイペックス３０が形成されている。図示されているように、三角形はかなり細長い形状であり、特定の種類のタイヤ構造に組み立てられたときに特定の用途により適するように、エイペックス３０は曲率つまり曲率半径を有していてもよい。
【００４０】
図２を参照すると、ダイヘッド２から出てきた押し出し物３０は、エイペックス材３０を局所的に支持しているローラ機構９４を備えたコンベアベルト組立体３上に配置されている。エイペックス材３０の基底部３１を、上側のスプール９２から出てきている所定の幅に切断されたチッパ材のストリップ４０を案内して固着させる（stitch）上方のローラ９０に対して相対的に正確に揃えるのを助けるように、ローラ機構９４はフランジを備えた停止部分を有している。チッパ材４０は、バイアス角度を有する平行な複数のコード４２によって補強されており、複数のコード４２は、全てが６５度未満、好ましくは４５度未満の角度に揃えられた、鋼ワイヤコード、あるいは、ナイロン、アラミド、または好ましい実施形態では炭素繊維などの合成材料のコードであってもよい。図示されているように、チッパ材４０は、ガイドローラ９０の下を通過するときにエイペックス材３０上に直接固着させられる。チッパ材４０は、チッパ材４０が取り付けられるエイペックス材３０に対してチッパ４０を正確に揃えるのを助ける凹状の案内表面をさらに有している上側のガイドローラ機構９０によって固着させられる。図７に示しているように、チッパ材４０は、より厚い底縁部３１から少なくとも距離（ｄ）だけ離れており、距離（ｄ）は基底部３１からおよそ１／４インチから１／２インチ（およそ６ｍｍから１２ｍｍ）であることが好ましく、チッパ４０は狭い外側先端部３２まで幅方向に延びている。チッパ材４０は、取り付けられている表面３３に沿って測定したときにエイペックス３０の全幅ＷAよりも狭い幅ＷCを有していてもよい。言い換えると、チッパ４０はエイペックス３０の両端部３１、３２の完全に内側にあってもよく、あるいは、必要であれば、チッパ４０は基底部３１から離れているが、エイペックス３０の幅ＷAよりもわずかに広い幅ＷCを有しており、それによってエイペックスの先端部３２の上を延びていてもよい。
【００４１】
図３を参照すると、チッパ材４０とエイペックス３０とが固着されているときに、材料が十分に冷却されて、図３に示しているように複数の保管スプール９３上に巻き付けることができるように、チッパ材４０とエイペックス３０は冷却室（不図示）を通して処理されるか、または、複数のコンベアベルトループの全長を通して処理される。複数の保管スプール９３上に巻き付けられるときに、材料がそれ自体にくっつかないように、取り外し布（release cloth）、つまりライナ９６が複数のスプール９１から引き出され、部分組立品とともに巻かれることが好ましい。
【００４２】
図２に示しているように、チッパ４０は、押し出されたエイペックス材３０がまだ熱くて新しいうちに、エイペックス材３０上に直接貼り付けられる。これによって、その後の取り扱い中にチッパ４０とエイペックス３０とが互いに対して適切な向きを維持するような、チッパ４０とエイペックス３０の間の良好な接着が実現する、エラストマ材料３０の最大の粘着性が保証される。取り付けは製造工程のもっと後で行うことができるが、最適な粘着性のためには、取り付けは、エイペックス材３０が新しいうちに行うことが好ましい。これによって、チッパストリップ４０とエイペックスストリップ３０の間の良好な接着を確保するために溶剤やその他の手段を使用する必要がなくなる。
【００４３】
図４と図５を参照すると、チッパ４０とエイペックス３０の部分組立品１００を用いる典型的なタイヤカーカス組立工程が示され、説明されている。タイヤ組立ステーションは組立ドラム５を有しており、図４では隠れているチェーファー６６とハロゲン化ブチルライナ（halobutyl liner）５０の対が最初に組立ドラム５上に配置され、サイドウォールゴム７０と複数のゴムストリップ４４もドラム５に貼り付けられ、それからライナ材５０上にプライ材２０が被せられ、それからプライ材２０によって、チッパとエイペックスの部分組立品１００が、図示されているように両ビードコア１２の軸線方向内側の位置に配置される。図示されているように、チッパとエイペックスの部分組立品１００によって、チッパ４０がエイペックス３０の頂部の上に配置され、それからビード１２が貼り付けられ、それから、図５に示しているように、未加硫タイヤカーカス１０を作るためにターンアップ端部２９とサイドウォール７０が折り重ねられる。両ビード１２を軸線方向内向きに移動させながら、ブラダを用いてタイヤ組立ドラム５上の未硬化のカーカス１０の中央部分を膨らませることによって、タイヤカーカス１０は円環形状になり、その後、タイヤ組立において従来から行われているように、トレッドとベルト補強構造がカーカス１０のクラウンに貼り付けられる。その後、組立品全体が、加熱された金型内に配置されて、タイヤの加硫および硬化が可能になる。
【００４４】
タイヤ１０の製造においてチッパとエイペックスの部分組立品１００を前述したように使用することの利点は、チッパ４０がエイペックス３０上に正確に配置されることと、チッパとエイペックスの部分組立品１００によって、これらの構成部材を別々に貼り付ける必要がなくなることである。さらに、チッパとエイペックスの部分組立品１００を、単一のチッパプライ４０を備えたものとして示しているが、第１のチッパプライ４０と等しくかつ反対向きのコード角度を有している第２のチッパプライを、チッパとエイペックスの部分組立品１００の外側表面に追加できることが理解されるであろう。これによって、タイヤの製造において、必要に応じて任意に剛性をさらに高めることができる。ここで説明している実施形態では、チッパ材４０のただ１つの層がエイペックス３０とともに使用されており、これによって、部分組立品１００が複数の合成コード４２を使用することが好ましい、乗用車または軽量トラック用のタイヤの用途に対して十分な剛性が得られる。重い商業用トラック用のタイヤの製造では、複数の鋼コード４２を備えている単一のチッパ４０をエイペックス３０と組み合わせて部分組立品１００として使用することが可能であり、前述したのと同じ利点が得られる。しかし、このような分野では、必要に応じて剛性をさらにもっと高めるように追加のチッパ層４０を付加することが望ましいこともある。
【００４５】
乗用車または軽量トラック用のタイヤであっても、ヘビーデューティタイヤであっても、前述したように部分組立品１００をビードコア１２の両端部で使用することによって、組立工程中にタイヤ組立ドラム５を完全に１回転させる必要がなくなる。このことは、自動化された製造方法を用いる場合にはわずかな時間の節約にしか見えないかもしれないが、時間の節約に関して大きな利点がある。第一に、チッパ４０は押し出し機においてエイペックス３０に貼り付けられ、それは、タイヤ組立装置における組立速度を遅くしたり制限したりしない。この部分組立品１００はオフラインで作られ、タイヤ組立工程自体の全体よりも相当に速い押し出し機の速度で貼り付けることができ、そのため、部分組立品１００はより効果的になり、タイヤ組立装置でのステップが不要になる。
【００４６】
図４に示されている典型的なタイヤ組立工程では、部分組立品１００はプライ２０の上に平坦に、各ビードコア１２の軸線方向内側に、かつ各ビードコア１２に隣接して配置されている。これは、カーカス構造の、１つの考え得る方法である。あるいは、部分組立品１００をプライのターンアップ部上に、各ビードコア１２の軸線方向外側に、かつ各ビードコア１２に隣接して配置することもできる。この場合、図４に示されている方法と比較すると、部分組立品１００は、プライのターンアップ部に当接してチッパプライ４０に揃えられ、または裏返される。両ターンアップ端部２９が部分組立品１００とともに両ビードコア１２を包むように折り重ねられ、プライ２０に固着されると、部分組立品１００全体が、隣接するビードコア１２を中心として１８０度回転する。その後、両サイドウォールゴムストリップ７０を、プライ２０と両ターンアップ端部２９の上に貼り付けることができる。その結果得られる円環形状のカーカス１０は、図６に示しているものと同じに見える。他のタイヤ組立装置では、すでに膨らんでいるプライ２０に固着されるターンアップ端部２９を折り返す前に、カーカス１０を膨らませることができる。そのような場合、部分組立品１００は、図４に示して説明したのと同様に貼り付けることができ、または、ターンアップ部２９上に配置して、カーカス組立体１０を作るために上向きに約９０度以上折り曲げることができる。
【００４７】
あるいは、製造工程における中間製品を形成するために予め組立済みの、図６から図９Ａの、チッパ４０とエイペックス３０とビード１２とを備えている部分組立品２００を、前述したタイヤ組立方法のいずれにおいても適用することができる。部分組立品１００では、タイヤ組立装置で端部を切断し継ぎ合わせる追加のステップがさらに必要となるが、部分組立品２００では、ビードコア１２の組立において両端部３６、３７がオフラインで継ぎ合わされ接合されている。これは、部分組立品２００の対を、タイヤ組立装置上に配置することができることを意味し、せいぜいエイペックス３０とチッパ４０をプライ２０またはプライのターンアップ端部２９に固着するためにタイヤ組立ドラム５を回転させることが行われるだけである。その結果、タイヤ組立ステーションで組立ステップをさらに省略することができる。
【００４８】
さらに図６〜９Ａを参照すると、他の実施形態において、一旦形成されたチッパとエイペックスの部分組立品１００をビード組立装置に運ぶことが可能であり、そこでビードコア１２がマンドレル８０に取り付けられ、それから、図６に示しているように、部分組立品１００をビードコア１２の直径方向外側表面１２Ａに直接貼り付けることができ、ビードの基底部３１が直径方向外側表面１２Ａに直接接合される。ビードコア１２と部分組立品１００とをマンドレル８０に固定するのを助けるために、複数の真空穴８１を設けることができる。チッパ４０とエイペックス３０とビードコア１２の部分組立品２００は、一旦組み立てられると、図７、８、および８Ａに示しているように完成させることができ、チッパ４０とエイペックス３０の材料がビードコア１２に巻かれているときに、三角形状のカッターヘッド４がチッパ４０とエイペックス３０の材料の長さ方向の一方の端部をパイ状（pie shaped）にすることができる。部分組立品の直径方向内側部分が切断長さＬBを有し、ストリップの外側部分が切断長さＬTを有し、長さＬBが直径方向外側表面１２Ａにおける円周方向長さと実質的に同じかそれよりも短くなるように、ストリップ材の後端部をくさび形カッターで切断することができ、それによって、部分組立品１００が切断された時に両端部３６、３７は基底部３１の位置で突き合わせ接合することができるが、半径方向外側の先端部３２における長さＬTは基底部３１における長さＬBよりも長いため、両先端部３２を重ね合わせて接合することができる。これは、両先端部３２がかなり狭く、従って両先端部３２における材料の量が最小であるため、接合部分における一様性に関する顕著な問題が事実上存在しないために可能になっている。これによって、さらに、チッパとエイペックスとの部分組立品１００において、突き合わせ接合と重ね合わせ接合の組み合わせである非常に確実な接合がなされ、非常に耐久性の高い接合状態になる。それから、この部分組立品２００をタイヤ組立装置に運ぶことができる。チッパとエイペックスとの部分組立品１００は、両ビードコア１２に垂直に取り付けられ、タイヤ組立ドラム５まで運ぶことができ、タイヤ組立ドラム５上に直接滑らせることができる。その後、エイペックスとチッパとの部分組立品１００を、図４に示しているように両側で軸線方向内向きに折り曲げることができ、プライ２０の内側表面に固着することができ、その後に、両ターンアップ部２９を従来と同様に折り重ねることができ、それからタイヤは、前述したように、膨らませられて円環形状に形作られる。この切断には、三角形くさび状の切り欠き部を作るように、加熱され方向が定められた刃先４Ａ，４Ｂの対を有するナイフ４が使用される。図８に示しているように、このくさび状の切り欠き部は、内角αを有しており、複数のチッパコード４２が合成材料から製造される場合にはエラストマのエイペックス３０とチッパ４０とをまっすぐに通過する。複数のコード４２を通過するまっすぐな切断は、比較的容易に達成することができる。この切断が完了すると、両端部３６，３７の切断表面を、前述したように突き合わせ接合することができる。
【００４９】
図９に示している他の実施形態では、複数の金属コード４２を使用しているときには、前述したように、チッパとエイペックスの部分組立品１００をビードコア１２に直接貼り付けることができるが、この場合、両端部３６，３７に面取りされた縁部が生じるように、小さな剥ぎ角度（skive angle）に方向付けられた単一の刃４Ａを使用することができる。この単一の刃４Ａは、刃４Ａが材料を通過するときに、複数のチッパコード４２の間を移動して切断を行うように、複数の金属コード４２に平行に方向付けられていなければならない。刃の角度をある剥ぎ角度にすることによって、面取りされた表面を、わずかな重なりで突き合わせ接合することができる。本発明では、エイペックスとチッパとビードコアの部分組立品２００は、金属チッパが一般に採用されている重い商業用トラック用のタイヤにおいて最も有用である。合成チッパコード４２について前述したのと同じ利点は、部分組立品２００全体を、今までよりもはるかに速い速度で、より高い一様性に作ることができることであり、それから、前述したように、エイペックスとチッパとビードコアの部分組立品２００をタイヤ組立ドラム５に１つのユニットとして取り付けることができるタイヤ組立装置に、部分組立品２００を運ぶことができる。タイヤカーカス１０が円環形状に形作られる前に、チッパ４０とエイペックス３０を折り重ねて、プライ２０上に直接固着させることができる。あるいは、任意のさまざまな公知のタイヤ組立技術を用いて、前記したのと同様に、部分組立品２００を貼り付けることができる。本発明の独自の特徴の１つは、１つのチッパプライ４０を使用することによって、複数のコード４２が移動可能であり、巻かれるときに所望の形状になるようにわずかに自由移動できるため、部分組立品をビードコア１２上に取り付けるときに折り重ねることができることである。これは、一般にパンタグラフィング（pantographing）と呼ばれる。それから、タイヤが一旦円環形状に膨らむと、チッパ４０とエイペックス３０はほぼ垂直な向きに回転して戻り、複数のコード４２は正常（垂直）な方向に戻ろうとする。これは、未加硫タイヤ内の追加の記憶手段または応力がなくても、複数のコード４２が部分組立品１００または２００の中で、実質的に製造されたときと同じ向きになるという非常に大きな利点を有している。
【００５０】
本発明をその１つまたは２つ以上の実施形態の説明によって示し、実施形態をかなり詳細に説明したが、これらは、添付の請求項の範囲をそのような制限したり限定したりすることを意図するものではない。追加の利点と修正を当業者は容易に思いつくであろう。本発明はより広い観点にあり、図示し説明した特定の詳細や、各装置と方法や、具体例に限定されない。そのため、出願人の全体的な発明の概念の範囲と思想とから逸脱することなく、そのような詳細から離れることができる。
【００５１】
ここに示している説明の観点から、本発明の変形例が可能である。主題である発明を説明する目的で、特定の代表的な実施形態と詳細を示しているが、当業者には対象とする発明の範囲から逸脱することなく、実施形態では様々な変更と修正が可能であることが明らかになるであろう。そのため、添付の請求項で定めている本発明の意図した全範囲内で、説明している特定の実施形態の変更が可能なことが当然理解される。
【図面の簡単な説明】
【００５２】
【図１】エイペックスを成形する押し出しダイを、成形されたエイペックス押し出し物とともに示す斜視図である。
【図２】部分組立品を形成するようにエイペックスの側部に取り付けられたチッパプライを有しているチッパ材のスプールを備えている、エイペックスを成形する押し出し成形機の側面を示す斜視図である。
【図３】部分組立品のスプールを形成するように、取り外し布のライナとともにスプールに巻き付けられている、チッパとエイペックスの部分組立品の斜視図である。
【図４】両ビードコアにそれぞれ隣接する位置に貼り付けられた、チッパとエイペックスの部分組立品を示す、タイヤカーカス組立ドラムの斜視図である。
【図５】本発明のチッパとエイペックスとの部分組立品を備えている、円環形状に形成されたタイヤカーカスの断面図である。
【図６】チッパとエイペックスとビードコアの部分組立品を形成するようにビードホルダが環状のビードコアに取り付けられているタイヤの、本発明のチッパとエイペックスの部分組立品の部分断面図である。
【図７】部分組立品の断面を示すための切り欠き部を含む、組み立てられたチッパとビードコアの部分組立品の斜視図である。
【図８】組立品の所望の切断長さを得るようにくさび状に端部が切断されたビードコアに取り付けられている、チッパとエイペックスの部分組立品の平面図である
【図８Ａ】接合される前の、くさび状に切断されている端部を示す図である。
【図９】チッパとエイペックスの部分組立品がビードコアに取り付けられるときに重ね合わせ接合するために斜めになった端部を備えた切断部を形成するように、複数のチッパコードに平行に切断された、チッパとエイペックスの部分組立品の平面図である。
【図９Ａ】継ぎ合わせて接合された切断端部を示す図である。
【符号の説明】
【００５３】
２  ダイヘッド
３  コンベアベルト組立品
４  カッターヘッド
４Ａ、４Ｂ  刃先
５  タイヤ組立ドラム
１０  タイヤカーカス
１２  ビードコア
１２Ａ  直径方向外側表面
２０  プライ材
２９  ターンアップ端部
３０  エイペックスストリップ
３１  基底部
３２  外側の先端部
３３、３４  側部
３６、３７  端部
４０  チッパプライストリップ
４２  コード
４４  ゴムストリップ
５０  ハロゲン化ブチルライナ
６６  チェーファー
７０  サイドウォールゴム
８０  マンドレル
８１  真空穴
９０  ガイドローラ
９１  スプール
９２  上側スプール
９３  保管スプール
９４  ローラ機構
９６  取り外し布
１００  チッパとエイペックスの部分組立品
２００  チッパとエイペックスとビードコアの部分組立品
ＥＰ  赤道面
【図１】
2008062649.tif 000003
【図２】
2008062649.tif 000004
【図３】
2008062649.tif 000005
【図４】
2008062649.tif 000006
【図５】
2008062649.tif 000007
【図６】
2008062649.tif 000008
【図７】
2008062649.tif 000009
【図８】
2008062649.tif 000010
【図８Ａ】
2008062649.tif 000011
【図９】
2008062649.tif 000012
【図９Ａ】
2008062649.tif 000013